【手続補正書】
【提出日】平成29年11月21日(2017.11.21)
【手続補正１】
【補正対象書類名】特許請求の範囲
【補正対象項目名】全文
【補正方法】変更
【補正の内容】
【特許請求の範囲】
【請求項１】
冷媒を吸入して吐出する圧縮機（２２）と、
前記圧縮機から吐出された高圧の前記冷媒と熱媒体とを熱交換させる高圧側熱交換器（１５）と、
前記高圧側熱交換器で熱交換された前記冷媒を減圧させる減圧部（２４）と、
前記減圧部で減圧された低圧の前記冷媒と前記熱媒体とを熱交換させる低圧側熱交換器（１４）と、
前記低圧側熱交換器を循環する前記熱媒体を吸入して吐出する第１ポンプ（１１）と、
前記高圧側熱交換器を循環する前記熱媒体を吸入して吐出する第２ポンプ（１２）と、
前記熱媒体が循環し、前記熱媒体に熱を供給する車載機器（８１Ａ、８１Ｂ、８１Ｃ）と、
前記熱媒体と空気とを熱交換させる熱媒体空気熱交換器（１３）と、
前記車載機器および前記熱媒体空気熱交換器のそれぞれに対して、前記高圧側熱交換器との間で前記熱媒体が循環する状態と、前記低圧側熱交換器との間で前記熱媒体が循環する状態とを切り替える切替部（１８、１９）と、
前記熱媒体空気熱交換器に対して除霜を行う必要があると判定された場合、前記低圧側熱交換器と前記車載機器との間で前記熱媒体が循環し且つ前記高圧側熱交換器と前記熱媒体空気熱交換器との間で前記熱媒体が循環する除霜モードになるように前記切替部の作動を制御するとともに、前記圧縮機を駆動させる制御部（６０）と、
前記高圧側熱交換器を循環する前記熱媒体の温度（Ｔｈ）に関連する物理量を検出する検出部（６５）とを備え、
前記制御部は、
前記熱媒体空気熱交換器に対して除霜を行う必要があると判定された場合、前記検出部が検出した前記物理量に基づいて前記圧縮機の作動を制御し、
前記熱媒体空気熱交換器の除霜が必要であると判定された場合において、前記検出部が検出した前記物理量に基づいて、前記高圧側熱交換器を循環する前記熱媒体の温度が第３閾値（Ｔｈ３）を下回っていると判定した場合、前記検出部が検出した前記物理量に基づいて、前記高圧側熱交換器を循環する前記熱媒体の温度が前記第３閾値を上回っていると判定した場合と比較して、前記高圧側熱交換器から前記熱媒体空気熱交換器に供給される前記熱媒体の流量が少なくなるように前記切替部および前記第２ポンプのうち少なくとも１つの作動を制御する冷凍サイクル装置。
【請求項２】
前記制御部は、前記熱媒体空気熱交換器の除霜が必要であると判定された場合において、前記検出部が検出した前記物理量に基づいて、前記高圧側熱交換器を循環する前記熱媒体の温度が第１閾値（Ｔｈ１）を上回っていると判定した場合、前記圧縮機を停止させる請求項１に記載の冷凍サイクル装置。
【請求項３】
冷媒を吸入して吐出する圧縮機（２２）と、
前記圧縮機から吐出された高圧の前記冷媒と熱媒体とを熱交換させる高圧側熱交換器（１５）と、
前記高圧側熱交換器で熱交換された前記冷媒を減圧させる減圧部（２４）と、
前記減圧部で減圧された低圧の前記冷媒と前記熱媒体とを熱交換させる低圧側熱交換器（１４）と、
前記低圧側熱交換器を循環する前記熱媒体を吸入して吐出する第１ポンプ（１１）と、
前記高圧側熱交換器を循環する前記熱媒体を吸入して吐出する第２ポンプ（１２）と、
前記熱媒体が循環し、前記熱媒体に熱を供給する車載機器（８１Ａ、８１Ｂ、８１Ｃ）と、
前記熱媒体と空気とを熱交換させる熱媒体空気熱交換器（１３）と、
前記車載機器および前記熱媒体空気熱交換器のそれぞれに対して、前記高圧側熱交換器との間で前記熱媒体が循環する状態と、前記低圧側熱交換器との間で前記熱媒体が循環する状態とを切り替える切替部（１８、１９）と、
前記熱媒体空気熱交換器に対して除霜を行う必要があると判定された場合、前記低圧側熱交換器と前記車載機器との間で前記熱媒体が循環し且つ前記高圧側熱交換器と前記熱媒体空気熱交換器との間で前記熱媒体が循環する除霜モードになるように前記切替部の作動を制御するとともに、前記圧縮機を駆動させる制御部（６０）と、
前記高圧側熱交換器を循環する前記熱媒体の温度（Ｔｈ）に関連する物理量を検出する検出部（６５）とを備え、
前記制御部は、
前記熱媒体空気熱交換器に対して除霜を行う必要があると判定された場合、前記検出部が検出した前記物理量に基づいて前記圧縮機の作動を制御し、
前記熱媒体空気熱交換器の除霜が必要であると判定された場合において、前記検出部が検出した前記物理量に基づいて、前記高圧側熱交換器を循環する前記熱媒体の温度が第１閾値（Ｔｈ１）を上回っていると判定した場合、前記圧縮機を停止させ、
前記熱媒体空気熱交換器の除霜が必要であると判定された場合において、前記検出部が検出した前記物理量に基づいて、前記高圧側熱交換器を循環する前記熱媒体の温度が第３閾値（Ｔｈ３）を下回っていると判定した場合、前記検出部が検出した前記物理量に基づいて、前記高圧側熱交換器を循環する前記熱媒体の温度が前記第３閾値を上回っていると判定した場合と比較して、前記高圧側熱交換器から前記熱媒体空気熱交換器に供給される前記熱媒体の流量が少なくなるように前記切替部および前記第２ポンプのうち少なくとも１つの作動を制御し、
前記第３閾値は前記第１閾値以下の値である冷凍サイクル装置。
【請求項４】
前記第１閾値は、純水の凝固点以上の値である請求項２または３に記載の冷凍サイクル装置。
【請求項５】
前記制御部は、
前記検出部が検出した前記物理量に基づいて、前記高圧側熱交換器を循環する前記熱媒体の温度が上昇して前記第１閾値を上回ったと判定した場合、前記圧縮機を停止させ、
前記検出部が検出した前記物理量に基づいて、前記高圧側熱交換器を循環する前記熱媒体の温度が低下して第２閾値（Ｔｈ２）を下回ったと判定した場合、前記圧縮機を駆動させる請求項２または３に記載の冷凍サイクル装置。
【請求項６】
前記第３閾値は前記第１閾値と等しい値である請求項３に記載の冷凍サイクル装置。
【請求項７】
前記制御部は、
前記熱媒体空気熱交換器の除霜が必要であると判定された場合において、前記検出部が検出した前記物理量に基づいて、前記高圧側熱交換器を循環する前記熱媒体の温度が前記第３閾値を下回っていると判定した場合、前記高圧側熱交換器から前記熱媒体空気熱交換器への前記熱媒体の供給が停止されるように前記切替部および前記第２ポンプのうち少なくとも１つの作動を制御し、
前記検出部が検出した前記物理量に基づいて、前記高圧側熱交換器を循環する前記熱媒体の温度が前記第３閾値を上回っていると判定した場合、前記高圧側熱交換器から前記熱媒体空気熱交換器への前記熱媒体の供給が行われるように前記切替部および前記第２ポンプのうち少なくとも１つの作動を制御する請求項１ないし６のいずれか１つに記載の冷凍サイクル装置。
【請求項８】
前記第３閾値は、純水の凝固点以上の値である請求項１ないし７のいずれか１つに記載の冷凍サイクル装置。
【請求項９】
前記車載機器は、作動に伴って発熱する機器である請求項１ないし８のいずれか１つに記載の冷凍サイクル装置。
【請求項１０】
車両に適用される冷凍サイクル装置であって、
前記制御部は、前記熱媒体空気熱交換器に対して除霜を行う必要があると判定された場合であっても、車両が走行中である場合は前記除霜モードの実行が禁止されるように前記切替部の作動を制御する請求項１ないし９のいずれか１つに記載の冷凍サイクル装置。
【請求項１１】
前記熱媒体が循環する少なくとも１つの熱媒体流通機器（１６）を備え、
前記切替部は、前記少なくとも１つの熱媒体流通機器に対して、前記低圧側熱交換器との間で前記熱媒体が循環する状態と、前記低圧側熱交換器との間で前記熱媒体が循環しない状態とを切り替えるようになっており、
前記制御部は、前記熱媒体空気熱交換器に対して除霜を行う必要があると判定された場合、前記低圧側熱交換器と前記少なくとも１つの熱媒体流通機器との間で前記熱媒体が循環するように前記切替部の作動を制御する請求項１ないし１０のいずれか１つに記載の冷凍サイクル装置。
【請求項１２】
前記熱媒体が循環する少なくとも１つの熱媒体流通機器（１７）を備え、
前記切替部は、前記少なくとも１つの熱媒体流通機器に対して、前記高圧側熱交換器との間で前記熱媒体が循環する状態と、前記高圧側熱交換器との間で前記熱媒体が循環しない状態とを切り替えるようになっており、
前記制御部は、前記熱媒体空気熱交換器に対して除霜を行う必要があると判定された場合、前記高圧側熱交換器と前記少なくとも１つの熱媒体流通機器との間で前記熱媒体が循環するように前記切替部の作動を制御する請求項１ないし１０のいずれか１つに記載の冷凍サイクル装置。
【請求項１３】
前記少なくとも１つの熱媒体流通機器は、空調対象空間へ送風される空気と前記熱媒体とを熱交換させる熱交換器である請求項１１または１２に記載の冷凍サイクル装置。
【手続補正２】
【補正対象書類名】明細書
【補正対象項目名】０００７
【補正方法】変更
【補正の内容】
【０００７】
上記目的を達成するため、請求項１に記載の冷凍サイクル装置では、
冷媒を吸入して吐出する圧縮機（２２）と、
圧縮機から吐出された高圧の冷媒と熱媒体とを熱交換させる高圧側熱交換器（１５）と、
高圧側熱交換器で熱交換された冷媒を減圧させる減圧部（２４）と、
減圧部で減圧された低圧の冷媒と熱媒体とを熱交換させる低圧側熱交換器（１４）と、
低圧側熱交換器を循環する熱媒体を吸入して吐出する第１ポンプ（１１）と、
高圧側熱交換器を循環する熱媒体を吸入して吐出する第２ポンプ（１２）と、
熱媒体が循環し、熱媒体に熱を供給する車載機器（８１Ａ、８１Ｂ、８１Ｃ）と、
熱媒体と空気とを熱交換させる熱媒体空気熱交換器（１３）と、
車載機器および熱媒体空気熱交換器のそれぞれに対して、高圧側熱交換器との間で熱媒体が循環する状態と、低圧側熱交換器との間で熱媒体が循環する状態とを切り替える切替部（１８、１９）と、
熱媒体空気熱交換器に対して除霜を行う必要があると判定された場合、低圧側熱交換器と車載機器との間で熱媒体が循環し且つ高圧側熱交換器と熱媒体空気熱交換器との間で熱媒体が循環する除霜モードになるように切替部の作動を制御するとともに、圧縮機を駆動させる制御部（６０）とを備える。
上記目的を達成するため、請求項３に記載の冷凍サイクル装置では、
冷媒を吸入して吐出する圧縮機（２２）と、
圧縮機から吐出された高圧の冷媒と熱媒体とを熱交換させる高圧側熱交換器（１５）と、
高圧側熱交換器で熱交換された冷媒を減圧させる減圧部（２４）と、
減圧部で減圧された低圧の冷媒と熱媒体とを熱交換させる低圧側熱交換器（１４）と、
低圧側熱交換器を循環する熱媒体を吸入して吐出する第１ポンプ（１１）と、
高圧側熱交換器を循環する熱媒体を吸入して吐出する第２ポンプ（１２）と、
熱媒体が循環し、熱媒体に熱を供給する車載機器（８１Ａ、８１Ｂ、８１Ｃ）と、
熱媒体と空気とを熱交換させる熱媒体空気熱交換器（１３）と、
車載機器および熱媒体空気熱交換器のそれぞれに対して、高圧側熱交換器との間で熱媒体が循環する状態と、低圧側熱交換器との間で熱媒体が循環する状態とを切り替える切替部（１８、１９）と、
熱媒体空気熱交換器に対して除霜を行う必要があると判定された場合、低圧側熱交換器と車載機器との間で熱媒体が循環し且つ高圧側熱交換器と熱媒体空気熱交換器との間で熱媒体が循環する除霜モードになるように切替部の作動を制御するとともに、圧縮機を駆動させる制御部（６０）と、
高圧側熱交換器を循環する熱媒体の温度（Ｔｈ）に関連する物理量を検出する検出部（６５）とを備え、
制御部は、
熱媒体空気熱交換器に対して除霜を行う必要があると判定された場合、検出部が検出した物理量に基づいて圧縮機の作動を制御し、
熱媒体空気熱交換器の除霜が必要であると判定された場合において、検出部が検出した物理量に基づいて、高圧側熱交換器を循環する熱媒体の温度が第１閾値（Ｔｈ１）を上回っていると判定した場合、圧縮機を停止させ、
熱媒体空気熱交換器の除霜が必要であると判定された場合において、検出部が検出した物理量に基づいて、高圧側熱交換器を循環する熱媒体の温度が第３閾値（Ｔｈ３）を下回っていると判定した場合、検出部が検出した物理量に基づいて、高圧側熱交換器を循環する熱媒体の温度が第３閾値を上回っていると判定した場合と比較して、高圧側熱交換器から熱媒体空気熱交換器に供給される熱媒体の流量が少なくなるように切替部および第２ポンプのうち少なくとも１つの作動を制御し、
第３閾値は第１閾値以下の値である。
【手続補正３】
【補正対象書類名】明細書
【補正対象項目名】０００８
【補正方法】変更
【補正の内容】
【０００８】
請求項１、３に記載の冷凍サイクル装置によると、車載機器の熱を熱媒体を介して低圧側熱交換器側から高圧側熱交換器側に汲み上げ、さらに熱媒体を介して熱媒体空気熱交換器に放熱させることができるので、車載機器の熱を利用して熱媒体空気熱交換器を除霜できる。したがって、圧縮機で消費される動力を抑えつつ熱媒体空気熱交換器に対して除霜を行うことができる。
【手続補正４】
【補正対象書類名】明細書
【補正対象項目名】０１４４
【補正方法】変更
【補正の内容】
【０１４４】
より具体的には、冷却水温度Ｔｈが低温域から高温域へ上昇している場合、冷却水温度Ｔｈが第１閾値Ｔｈ１を上回ると圧縮機２２を停止させる。冷却水温度Ｔｈが高温域から低温域へ低下している場合、冷却水温度Ｔｈが第２閾値Ｔｈ２を下回ると圧縮機２２を駆動させる。第１閾値Ｔｈ１および第２閾値Ｔｈ２は、予め制御装置６０に記憶されている。第２閾値Ｔｈ２は、第１閾値Ｔｈ１よりも小さい値である。本例では、第１閾値Ｔｈ１は、純水の凝固点（すなわち０℃）以上の値である。